(57)【特許請求の範囲】
【請求項１】
ＨＤＭＩ端子及びＲＣＡ音声入力端子を備えるテレビジョン受像機において、
ＨＤＭＩ端子からの入力を選択した際の音声信号の入力及び出力を設定する設定手段と、
ＨＤＭＩ端子からの入力を選択した際に、音声信号が入力される音声入力端子を検出する信号入力端子検出手段と、
前記ＨＤＭＩ端子を介して入力される信号に基づいて前記テレビジョン受像機に接続される接続機器の種別を検出する接続機器検出手段と、
前記信号入力端子検出手段による検出及び前記設定手段による音声信号の入力及び出力の設定に基づいて、音声信号が入力される音声入力端子及び音声信号が出力される音声出力端子を報知する情報を、表示部にＯＳＤ表示する信号入出力端子表示制御手段と、
前記接続機器検出手段による検出に基づいて、前記ＨＤＭＩ端子を介して前記テレビジョン受像機に接続される接続機器の種別を報知する情報を、前記表示部にＯＳＤ表示する接続機器表示制御手段と、
を備え、
前記信号入力端子検出手段は、ＨＤＭＩ端子から所定のサンプリング周波数のＰＣＭ信号が入力される場合に、音声入力端子として当該ＨＤＭＩ端子を検出し、
前記信号入出力端子表示制御手段および前記接続機器表示制御手段により、表示部には、音声信号が入力される音声入力端子と、音声信号が出力される音声出力端子と、前記ＨＤＭＩ端子を介して前記テレビジョン受像機に接続される接続機器の種別と、の少なくとも１つの端子を示す図形及び文字又は接続機器の種別を示す図形及び文字にてＯＳＤ表示が行われるように構成されていることを特徴とするテレビジョン受像機。
【発明の詳細な説明】
【技術分野】
【０００１】
本発明は、ＨＤＭＩ端子を備えるテレビジョン受像機に関する。
【背景技術】
【０００２】
近年、映像信号及び音声信号を１本のケーブルによりデジタル伝送するＨＤＭＩ（High Definition Multimedia Interface）規格に準拠したテレビジョン受像機が普及しつつある。ＨＤＭＩ規格を採用したテレビジョン受像機は、一般的に、複数の音声入出力形式の中から、ユーザが所望の音声入力形式及び音声出力形式を設定できるようになっている。
【０００３】
複数の音声入出力形式を有するテレビジョン受像機としては、例えば、特許文献１や特許文献２に記載された技術がある。
例えば、特許文献１には、ＨＤＭＩ規格に準拠した複数の信号入力手段を備え、一つの信号入力手段だけに信号が入力されている場合には、この信号入力手段に入力されている信号を選択し、複数の信号入力手段に信号が入力されている場合には、予め指定された信号入力手段に入力されている信号を選択することにより、ＨＤＭＩ端子を介して入力される信号を効果的に選択することが可能となる信号選択装置が提案されている。
また、例えば、特許文献２には、ＨＤＭＩ入力回路の端子にＤＶＩ搭載機器が接続されている場合に、音声ケーブルの接続を促す画面メッセージ及びＬＥＤの点滅を行われ、ユーザが音声ケーブルの接続を失念してしまうのを防止することができるディスプレイ装置が提案されている。
【特許文献１】特開２００４−３５７０２９号公報
【特許文献２】特開２００５−２５０３４２号公報
【発明の開示】
【発明が解決しようとする課題】
【０００４】
ところで、ＨＤＭＩ端子を有するテレビジョン受像機では、ユーザによる音声入出力端子の設定やケーブルの接続方法が不適切なために、音声が、ユーザが意図した音声入力形式で入力されていない場合であっても、ユーザがそれを認識できないという問題があった。しかしながら、特許文献１及び２の技術では、結果的に音声が出力されている場合には、設定自体がユーザの意図した設定となっていなかったとしても、音声入力形式が誤っていることを認識することができず、そのため、上記の問題を解決することはできない。
また、当該ＨＤＭＩ端子を有するテレビジョン受像機では、音声が何れの音声出力端子から出力されているかを認識できないという問題もあった。
【０００５】
本発明の課題は、ＨＤＭＩ端子を選択した際に、ユーザが、どの音声入力端子から音声信号が入力されているかを確実に把握することができるテレビジョン受像機を提供することである。
【課題を解決するための手段】
【０００６】
上記課題を解決するため、請求項１に記載の発明は、ＨＤＭＩ端子及びＲＣＡ音声入力端子を備えるテレビジョン受像機において、
ＨＤＭＩ端子からの入力を選択した際の音声信号の入力及び出力を設定する設定手段と、
ＨＤＭＩ端子からの入力を選択した際に、音声信号が入力される音声入力端子を検出する信号入力端子検出手段と、
前記ＨＤＭＩ端子を介して入力される信号に基づいて前記テレビジョン受像機に接続される接続機器の種別を検出する接続機器検出手段と、
前記信号入力端子検出手段による検出及び前記設定手段による音声信号の入力及び出力の設定に基づいて、音声信号が入力される音声入力端子及び音声信号が出力される音声出力端子を報知する情報を、表示部にＯＳＤ表示する信号入出力端子表示制御手段と、
前記接続機器検出手段による検出に基づいて、前記ＨＤＭＩ端子を介して前記テレビジョン受像機に接続される接続機器の種別を報知する情報を、前記表示部にＯＳＤ表示する接続機器表示制御手段と、
を備え、
前記信号入力端子検出手段は、ＨＤＭＩ端子から所定のサンプリング周波数のＰＣＭ信号が入力される場合に、音声入力端子として当該ＨＤＭＩ端子を検出し、
前記信号入出力端子表示制御手段および前記接続機器表示制御手段により、表示部には、音声信号が入力される音声入力端子と、音声信号が出力される音声出力端子と、前記ＨＤＭＩ端子を介して前記テレビジョン受像機に接続される接続機器の種別と、の少なくとも１つの端子を示す図形及び文字又は接続機器の種別を示す図形及び文字にてＯＳＤ表示が行われるように構成されていることを特徴とする。
【発明の効果】
【００１０】
請求項１に記載の発明によれば、設定手段は、ＨＤＭＩ端子からの入力を選択した際の音声信号の入力及び出力を設定し、信号入力端子検出手段は、ＨＤＭＩ端子からの入力を選択した際に、音声信号が入力される音声入力端子を検出し、接続機器検出手段は、ＨＤＭＩ端子を介して入力される信号に基づいてテレビジョン受像機に接続される接続機器の種別を検出する。また、信号入出力端子表示制御手段は、信号入力端子検出手段による検出及び設定手段による音声信号の入力及び出力の設定に基づいて、音声信号が入力される音声入力端子及び音声信号が出力される音声出力端子を報知する情報を、表示部にＯＳＤ表示し、接続機器表示制御手段は、接続機器検出手段による検出に基づいて、ＨＤＭＩ端子を介してテレビジョン受像機に接続される接続機器の種別を報知する情報を、表示部にＯＳＤ表示する。また、信号入力端子検出手段は、ＨＤＭＩ端子から所定のサンプリング周波数のＰＣＭ信号が入力される場合に、音声入力端子として当該ＨＤＭＩ端子を検出する。また、信号入出力端子表示制御手段および接続機器表示制御手段により、表示部には、音声信号が入力される音声入力端子と、音声信号が出力される音声出力端子と、ＨＤＭＩ端子を介してテレビジョン受像機に接続される接続機器の種別と、の少なくとも１つの端子を示す図形及び文字又は接続機器の種別を示す図形及び文字にてＯＳＤ表示が行われるように構成されている。
したがって、テレビジョン受像機においてＨＤＭＩ端子を選択した際に、ユーザは表示部に表示される情報を参照すれば、どの音声入力端子から音声信号が入力されているか、どの音声出力端子から音声信号が出力される設定となっているか、及びテレビジョン受像機に接続されている接続機器の種別を確実且つ容易に把握することができる。
【発明を実施するための最良の形態】
【００１４】
以下、本発明の実施の形態を、図面を参照しながら詳細に説明する。
図１は、本実施形態におけるテレビジョン受像機１００の正面図、図２はテレビジョン受像機１００の背面図である。また、図３は、本実施形態のテレビジョン受像機１００の要部構成を示すブロック図である。
図１〜図３に示すように、本実施形態におけるテレビジョン受像機１００は、受像機本体１００ａの背面部１００ｂに複数の接続端子１１を備えており、これらの接続端子１１を介して、ＡＶ機器等の各種接続機器２００が接続される。当該テレビジョン受像機１００は、これら複数の接続端子１１のうちの何れかの接続端子１１を介して接続機器２００から入力される音声・映像信号に基づく音声・映像をディスプレイ９ａ・スピーカ１０ａに出力するとともに、当該接続端子１１を介して入力される音声・映像信号或いはアンテナ２等により受信した音声・映像信号を、何れかの接続端子１１を介して当該テレビジョン受像機１００に接続された接続機器２００に出力する。
【００１５】
図４は、受像機本体１００ａの背面部１００ｂの入出力インターフェース１に備わる接続端子１１を例示する図である。
受像機本体１００ａは、例えば、音声信号が入力される音声入力端子１１１、音声信号が出力される音声出力端子１１２、映像信号が入力される映像入力端子、映像信号が出力される映像出力端子を備えている。
ここでは、仮に、本テレビジョン受像機１００には、図４に示すように、映像入力端子及び音声入力端子１１１としてのＨＤＭＩ端子（デジタル入力）１１ａと、音声入力端子１１１としてのＲＣＡ音声入力端子（アナログ入力）１１ｂと、音声出力端子１１２としてのＲＣＡ音声出力端子（アナログ入力）１１２ａ及び光デジタル音声出力端子（デジタル入力）１１２ｂと、等が備わるものとして以下の説明を行う。
このＨＤＭＩ端子１１１ａを用いた信号入力形式には、ＨＤＭＩ端子１１１ａに接続された接続機器２００から映像信号及び音声信号が入力される場合と、ＨＤＭＩ端子１１１ａに接続された接続機器２００から映像信号のみが入力され、音声信号はＲＣＡ音声入力端子１１１ｂ等の他の音声入力端子１１１から入力される場合の、２つの信号入力形式がある。本実施形態におけるテレビジョン受像機１００では、ＨＤＭＩ端子１１１ａに接続された接続機器２００から入力される信号の受信を行う場合に、音声信号が入力される音声入力端子１１１を報知するためのＯＳＤ表示を行うことにより、ユーザに、どの音声入力端子１１１から音声信号が入力されているかを認識させることが可能となる。
【００１６】
次に、本実施形態におけるテレビジョン受像機１００の構成について説明する。
本テレビジョン受像機１００は、例えば、図３に示すように、受像機本体１００ａに、接続機器２００が接続される入出力インターフェース１と、テレビジョン放送信号を受信するアンテナ２と、アンテナ２から入力された所定の周波数の音声・映像信号を選局するチューナ３と、チューナ３により選局された音声・映像信号を復調する復調部４と、音声・映像信号をデコードするデコーダ部５と、映像信号に対して所定の映像処理を行う映像処理部６と、音声信号に対して所定の音声処理を行う音声処理部７と、映像処理部６から出力される映像信号にＯＳＤデータ１３５（後述）を付加するＯＳＤ回路７と、映像処理部６から出力される映像信号に基づく映像を表示させる表示部９と、音声処理部７から出力される音声信号に基づく音声を出力させる音声出力部１０と、ユーザによるキー操作が行われるキー入力部１２と、テレビジョン受像機１００全体を統括制御する制御部１３と、等を備えて構成され、各部はバス１４により接続されている。
【００１７】
入出力インターフェース１は、例えば、複数の接続端子１１と、制御部１３から入力される入力切り替えの制御信号に基づいて、接続端子１１のうちから何れかの接続端子１１を接続して、当該接続端子１１に接続された接続機器２００から音声信号及び／又は映像信号を受信するための切り替え処理を行うセレクタ１ａと、等を備えて構成されている。
具体的には、ユーザによるリモコンの操作により、一の接続機器２００から出力される音声・映像への切替を指示する入力操作信号が制御部１３を介してセレクタ１ａに出力されると、当該接続端子１１に切り替えるための制御信号がセレクタ１ａに出力され、セレクタ１ａは当該制御信号に応じて一の接続端子１１に接続を切り替える処理を行う。
【００１８】
ここで、テレビジョン受像機１００に接続される接続機器２００は、例えば、図４に示すように、ＨＤＭＩ端子１１１ａを介して接続されたゲーム機２００ａと、光デジタル音声出力端子１１２ｂを介して接続されたＡＶアンプ２００ｂ等であるものとする。
【００１９】
アンテナ２は、例えば、屋外において所定の方向に向けて配置されており、図示しないテレビジョン放送局から発信される高周波（ＲＦ）のテレビジョン放送信号である音声・映像信号を受信する。
チューナ３は、例えば、図示は省略するが、高周波増幅回路と、局部発振回路及び混合回路から成る周波数変換回路と、を備えて構成されており、アンテナ２等により入力された音声・映像信号であるテレビジョン放送信号を、高周波増幅回路において増幅し、混合回路において局部発振回路から出力される局部発振信号と混合し、さらに、特定の周波数を選局するための制御部１３からの制御信号に応じて、特定周波数帯の中間周波信号（IF信号）を受信し、当該中間周波信号に所定の処理を行って復調部４に出力する。
【００２０】
復調部４は、例えば、制御部１３からの制御信号に従って、チューナ３から出力された中間周波信号に対してＯＦＤＭ（Orthogonal Frequency Division Multiplexing;直交周波数分割多重）復調や誤り訂正などの処理を実行し、トランスポートストリーム（TS）を生成して、デコーダ部５に出力する。
【００２１】
デコーダ部５は、例えば、図示は省略するが、ＴＳデコーダ、ビデオデコーダ、オーディオデコーダを備えて構成され、復調部４或いは入出力インターフェース１から入力されたトランスポートストリームを、ＭＰＥＧ２（Moving Picture Experts Group 2）規格下のビデオストリーム、オーディオストリーム及びＰＳＩ／ＳＩ（Program Specific Information/Service Information）等に分離し、当該ビデオストリームをビデオデコーダに、オーディオストリームをオーディオデコーダに、さらに、ＰＳＩ／ＳＩに含まれるデータを制御部１３に供給する。
ビデオデコーダは、ＴＳデコーダから入力されたビデオストリームを復号し、逆ＤＣＴ変換や動き補償制御等を行い、映像データを生成して映像処理部６に出力する。また、オーディオデコーダは、ＴＳデコーダから入力されたオーディオストリームを復号し、音声データを生成して音声処理部７に出力する。
【００２２】
映像処理部６は、ビデオデコーダ或いは入出力インターフェース１から入力された映像データに対して、Ｄ／Ａ変換等の各種処理を施し、所定の映像信号を生成する。
また、音声処理部７は、オーディオデコーダ或いは入出力インターフェース１から入力された音声データに対して、Ｄ／Ａ変換等の各種処理を施し、所定の音声信号を生成する。
【００２３】
ＯＳＤ回路７は、制御部１３からの指示出力に応じて、ＲＯＭ１３４に格納されたＯＳＤデータ１３５を映像処理部６から出力された映像信号に合成する処理を行う。
【００２４】
表示部９は、例えば、ＬＣＤ（Liquid Crystal Display）、ＰＤＰ（Plasma Display Panel）等のディスプレイ９ａを備え、映像処理部６から入力された映像信号に基づく映像を当該ディスプレイ９ａに表示させる。
音声出力部１０は、例えば、スピーカ１０ａ等を備え、音声処理部７から入力された音声信号に基づく音声を当該スピーカ１０ａにより出力させる。
【００２５】
キー入力部１２は、例えば、リモートコントローラ（以下、リモコンという。）等であり、複数のキーを備えて構成され、キーを押下操作すると、押下されたキーに対応する入力操作信号が制御部１３に出力されるようになっている。
【００２６】
制御部１３は、ＣＰＵ（Central Processing Unit）１３１と、ＲＡＭ（Random Access Memory）１３２と、ＥＥＰＲＯＭ（Electronically Erasable and Programmable Read Only Memory）１３３と、ＲＯＭ（Read Only Memory）１３４と、等を備えて構成されている。
【００２７】
ＣＰＵ１３１は、テレビジョン受像機１００の各部からバス１４を介して入力された入力信号に応じて、ＲＯＭ１３４に格納された各種プログラムを実行するとともに、バス１４を介して各部に各種プログラムの実行に基づく制御信号を出力することにより、テレビジョン受像機１００の動作全般を統括制御する。
【００２８】
ＲＡＭ１３２は、例えば、揮発性の半導体メモリであり、ＣＰＵ１３１によって各種プログラムが実行される際に生じる処理結果や、入力されたデータを一時的に記憶し、ＣＰＵ１３１のワークエリアとして機能する。
【００２９】
ＥＥＰＲＯＭ１３３は、例えば、書き換え可能な半導体メモリであり、ＣＰＵ１３１による設定プログラム１３４ａ（後述）の実行においてユーザにより設定された音声入出力形式の設定データ１３３ａを格納している。また、例えば、図示は省略するものの、音声入出力形式の初期設定データが別領域に格納されていても良い。
【００３０】
ＲＯＭ１３４は、例えば、不揮発性の半導体メモリであり、ＣＰＵ１３１によって実行される各種の制御プログラム並びに各制御プログラムの処理にかかるデータ等を記憶するものである。      
具体的には、ＲＯＭ１３４は、設定プログラム１３４ａ、信号入力端子検出プログラム１３４ｂ、接続機器検出プログラム１３４ｃ、信号入出力端子表示制御プログラム１３４ｄ、接続機器表示制御プログラム１３４ｅ等の制御プログラムや、ＯＳＤデータ１３５を格納している。
【００３１】
設定プログラム１３４ａは、例えば、ＣＰＵ１３１に、ＨＤＭＩ端子１１１ａからの入力を選択した際の音声信号の入力及び出力を設定する機能を実現させるためのプログラムである。
具体的には、ＣＰＵ１３１は、ユーザによるリモコン等のキー入力部１２の操作により、音声信号の入出力の設定を要求する入力操作信号が制御部１３に入力されると、当該設定プログラム１３４ａの実行により、ＨＤＭＩ端子１１１ａからの入力を選択した際の音声信号の入力及び出力を設定するための音声入出力設定画面を表示部９に表示させる。当該音声入出力設定画面では、例えば、図７に示すように、音声信号の入力形式及び音声信号の出力形式をそれぞれ複数の選択肢の中から選択できるようにおり、当該音声入出力設定画面において、ユーザによるキー入力部１２の操作により所望の音声入力形式及び音声出力形式が夫々選択されると、当該選択された音声入出力形式の設定データ１３３ａがＥＥＰＲＯＭ１３３に格納されることとなる。
具体的には、当該音声入出力設定画面において、ユーザにより、音声入力が「Ｄｉｇｉｔａｌ」（デジタル）と設定された場合、ＣＰＵ１３１は、ＨＤＭＩ端子１１１ａを介して接続された接続機器２００への入力切替要求がなされると、音声信号及び映像信号をＨＤＭＩ端子１１１ａから受信する。また、当該音声入出力設定画面において、ユーザにより、音声入力が「Ａｎａｌｏｇ」（アナログ）と設定された場合、ＣＰＵ１３１は、ＨＤＭＩ端子１１１ａを介して接続された接続機器２００への入力切替要求がなされると、映像信号をＨＤＭＩ端子１１１ａから受信し、音声信号をＲＣＡ音声入力端子１１１ｂから受信する。さらに、当該音声入出力設定画面において、ユーザにより、音声入力が「Ａｕｔｏ」（自動）と設定された場合、ＣＰＵ１３１は、ＨＤＭＩ端子１１１ａを介して接続された接続機器２００への入力切替要求がなされると、ＰＣＭ信号検出処理を実行してＨＤＭＩ端子１１１ａからＰＣＭ（Pulse Code Modulation）信号が受信可能か否かを判断し、ＰＣＭ信号が受信できる場合には、映像信号及び音声信号をＨＤＭＩ端子１１１ａから受信する。
また、当該音声入出力設定画面において、ユーザにより、音声出力が「Ｓ／ＰＤＩＦ  Ｏｕｔ」と設定された場合には、ＣＰＵ１３１は、ＨＤＭＩ端子１１１ａを介して接続された接続機器２００への入力切替要求がなされると、音声信号を光デジタル音声出力端子１１２ｂから出力し、音声出力が「ＲＣＡ  Ｌｉｎｅ  Ｏｕｔ」と設定された場合には、音声信号をＲＣＡ音声出力端子１１２ａから出力する。また、音声出力が「Ｓｐｅａｋｅｒ」と設定された場合には、スピーカ１０ａから優先的に音声信号を出力させる。
ＣＰＵ１３１は、かかる設定プログラム１３４ａを実行することにより、設定手段として機能する。
【００３２】
信号入力端子検出プログラム１３４ｂは、例えば、ＣＰＵ１３１に、ＨＤＭＩ端子１１１ａからの入力を選択した際に、音声信号が入力される音声入力端子１１１を検出する機能を実現するためのプログラムである。
具体的には、ＣＰＵ１３１は、ユーザによるリモコン等のキー入力部１２の操作により、ＨＤＭＩ端子１１１ａを介してテレビジョン受像機１００に接続された接続機器２００への入力切替を要求する入力操作信号が制御部１３に入力されると、ＨＤＭＩ端子１１１ａに接続された接続機器２００から入出力インターフェース１を介して入力される信号の受信を行う。そして、当該信号入力端子検出プログラム１３４ｂの実行により、音声信号が入力される音声入力端子１１１を検出する。ＣＰＵ１３１は、例えば、入出力インターフェース１から入力される音声信号がＰＣＭ信号であり、且つ、当該ＰＣＭ信号のサンプリング周波数が３２ｋＨｚ、４４．１ｋＨｚ、４８ｋＨｚの何れかである場合には、音声信号が入力される音声入力端子１１１はＨＤＭＩ端子１１１ａであると判断し、一方、入出力インターフェース１から入力される音声信号がＰＣＭ信号でない場合には、音声信号が入力される音声入力端子１１１はＲＣＡ音声入力端子１１１ｂであると判断する。また、ＣＰＵ１３１は、入出力インターフェース１から入力される音声信号がＰＣＭ信号であり、且つ、ＰＣＭ信号のサンプリング周波数が３２ｋＨｚ、４４．１ｋＨｚ、４８ｋＨｚの何れでもない場合には、音声出力不可能と判断する。
ＣＰＵ１３１は、かかる信号入出力端子検出プログラムを実行することにより、信号入出力検出手段として機能する。
【００３３】
接続機器検出プログラム１３４ｃは、例えば、ＣＰＵ１３１に、ＨＤＭＩ端子１１１ａを介して入力される信号に基づいて、テレビジョン受像機１００に接続される接続機器２００の種別を検出する機能を実現するためのプログラムである。
具体的には、ＣＰＵ１３１は、ユーザによるリモコン等のキー入力部１２の操作により、ＨＤＭＩ端子１１１ａを介してテレビジョン受像機１００に接続された接続機器２００への入力切替を要求する入力操作信号が制御部１３に入力され、ＨＤＭＩ端子１１１ａからの入力信号の受信への切替処理を行うと、ＨＤＭＩ端子１１１ａから入力される信号から、接続機器２００を識別するための識別信号をデコーダ部５等において抽出し、抽出した識別信号を制御部１３に出力する。当該識別信号は、例えば、ＡＶＩ（Auxiliary Video Information）情報等であり、この識別信号に基づいて、ＣＰＵ１３１は、接続機器２００の種別等を識別する。
ＣＰＵ１３１は、かかる接続機器検出プログラム１３４ｃを実行することにより、接像機器検出手段として機能する。
【００３４】
信号入出力端子表示制御プログラム１３４ｄは、例えば、ＣＰＵ１３１に、信号入力端子検出プログラム１３４ｂの実行による検出結果及び設定プログラム１３４ａの実行により設定された音声信号の入力及び出力の設定に基づいて、音声信号が入力される音声入力端子１１１及び音声信号が出力される音声出力端子１１２に関する情報を表示部９にＯＳＤ表示する機能を実現するためのプログラムである。
具体的には、ＣＰＵ１３１は、ユーザによるリモコン等のキー入力部１２の操作により、テレビジョン受像機１００にＨＤＭＩ端子１１１ａを介して接続された接続機器２００への入力切替を要求する入力操作信号が制御部１３に入力されると、設定プログラム１３４ａの実行により設定された音声信号の音声入力端子１１１と、さらに、信号入力端子検出プログラム１３４ｂの実行により検出された音声信号が入力される音声入力端子１１１と、を参照して、音声入力端子１１１として設定データ１３３ａに設定されている音声入力端子１１１に、音声信号が入力されている場合に、当該音声入力端子１１１から音声信号が入力されていることを報知するためのＯＳＤデータ１３５をＲＯＭ１３４から読み出して、ＯＳＤ回路７において映像信号に合成することにより、表示部９にＯＳＤ表示させる。
また、ＣＰＵ１３１は、ユーザによる音声入力端子１１１の設定が「Ａｕｔｏ」の場合には、ＰＣＭ信号の検出処理を実行し、検出結果により音声信号が入力される音声入力端子１１１として決定された音声入力端子１１１を報知するためのＯＳＤデータ１３５をＲＯＭ１３４から読み出して、ＯＳＤ回路７において映像信号に合成することにより、表示部９にＯＳＤ表示させる。
また、ＣＰＵ１３１は、ユーザによるリモコン等のキー入力部１２の操作により、テレビジョン受像機１００にＨＤＭＩ端子１１１ａを介して接続された接続機器２００への入力切替を要求する入力操作信号が制御部１３に入力されると、設定プログラム１３４ａの実行により設定された音声信号の音声出力端子１１２を設定データ１３３ａから読み出して、当該音声出力端子１１２が、音声信号が出力される音声出力端子１１２として設定されていることを報知するためのＯＳＤデータ１３５をＲＯＭ１３４から読み出して、ＯＳＤ回路７において映像信号に合成することにより、表示部９にＯＳＤ表示させる。
ＣＰＵ１３１は、かかる信号入出力端子表示制御プログラム１３４ｄを実行することにより、信号入出力端子表示制御手段として機能する。
【００３５】
接続機器表示制御プログラム１３４ｅは、例えば、ＣＰＵ１３１に、接続機器検出プログラム１３４ｃの実行による検出結果に基づいて、ＨＤＭＩ端子１１１ａを介してテレビジョン受像機１００に接続される接続機器２００に関する情報を、表示部９にＯＳＤ表示させる機能を実現させるためのプログラムである。
具体的には、ＣＰＵ１３１は、接続機器検出プログラム１３４ｃの実行により、ＨＤＭＩ端子１１１ａを介してテレビジョン受像機１００に接続された接続機器２００を検出すると、当該接続機器２００が接続されていることを報知するためのＯＳＤデータ１３５をＲＯＭ１３４から読み出して、ＯＳＤ回路７において映像信号に合成することにより、表示部９にＯＳＤ表示させる。
ＣＰＵ１３１は、かかる接続機器表示制御プログラム１３４ｅを実行することにより、接続機器表示制御手段として機能する。
【００３６】
ＯＳＤデータ１３５は、信号入出力端子表示制御プログラム１３４ｄ及び接続機器表示制御プログラム１３４ｅの実行に際して、ＣＰＵ１３１によりＲＯＭ１３４から読み出され、ＯＳＤ回路７において映像信号に合成されるデータである。
図５は、信号入出力端子表示制御プログラム１３４ｄの実行におけるＯＳＤ表示を例示する図である。
当該信号入出力端子表示制御プログラム１３４ｄの実行において、ＣＰＵ１３１は、音声信号が入力される音声入力端子１１１がＨＤＭＩ端子１１１ａである場合には、ＲＯＭ１３４に格納されたＯＳＤデータ１３５に基づいて、例えば、図５（ａ）に示すＯＳＤ表示を行い、音声信号が入力される音声入力端子１１１がＲＣＡ音声入力端子１１１ｂである場合には、図５（ｂ）に示すＯＳＤ表示を行う。また、ＣＰＵ１３１は、音声信号が出力される音声出力端子１１２がＲＣＡ音声出力端子１１２ａである場合には、ＲＯＭ１３４に格納されたＯＳＤデータ１３５に基づいて、例えば、図５（ｃ）に示すＯＳＤ表示を行い、音声信号が出力される音声出力端子１１２が光デジタル音声出力端子１１２ｂである場合には、図５（ｄ）に示すＯＳＤ表示を行い、音声信号がスピーカ１０ａから出力されている場合には、図５（ｅ）に示すＯＳＤ表示を行う。さらに、ＣＰＵ１３１は、音声が出力不可能である場合には、図５（ｆ）に示すＯＳＤ表示を行う。
また、図６は、接続機器表示制御プログラム１３４ｅの実行におけるＯＳＤ表示を例示する図である。
当該接続機器表示制御プログラム１３４ｅの実行において、ＣＰＵ１３１は、ＨＤＭＩ端子１１１ａを介してテレビジョン受像機１００に接続された接続機器２００がＳＴＢ（Set Top Box）である場合には、ＲＯＭ１３４に格納されたＯＳＤデータ１３５に基づいて、例えば、図６（ａ）に示すＯＳＤ表示を行い、接続機器２００がＤＶＤ（Digital Versatile Disc）プレーヤである場合には、図６（ｂ）に示すＯＳＤ表示を行い、接続機器２００がＤ−ＶＨＳ（Data Video Home System）である場合には、図６（ｃ）に示すＯＳＤ表示を行い、接続機器２００がＨＤＤ（Hard Disc Drive）Ｖｉｄｅｏである場合には、図６（ｄ）に示すＯＳＤ表示を行う。さらに、ＣＰＵ１３１は、接続機器２００がＤＳＣ（Digital Still Camera）である場合には、図６（ｅ）に示すＯＳＤ表示を行い、接続機器２００がＶｉｄｅｏＣＤ（Compact Disc）である場合には、図６（ｆ）に示すＯＳＤ表示を行い、接続機器２００がゲーム機２００ａである場合には、図６（ｇ）に示すＯＳＤ表示を行い、接続機器２００がＰＣ（Personal Computer）である場合には、図６（ｈ）に示すＯＳＤ表示を行う。
【００３７】
次に、前述の信号入力端子検出プログラム１３４ｂ、接続機器検出プログラム１３４ｃ、信号入出力端子表示制御プログラム１３４ｄ及び接続機器表示制御プログラム１３４ｅにおけるＣＰＵ１３１の処理について、具体的に説明する。
【００３８】
ＣＰＵ１３１は、ユーザによるリモコン等のキー入力部１２において、図示しない入力切替キーが押下操作され、ＨＤＭＩ端子１１１ａを介してテレビジョン受像機１００に接続された接続機器２００への入力切替を要求する入力操作信号が制御部１３に入力されると、ＨＤＭＩ端子１１１ａに接続された接続機器２００から入出力インターフェース１を介して入力される信号の受信を行う。そして、音声信号が入力される音声入力端子１１１を検出する検出処理を実行し、検出結果を制御部１３に出力するとともに、設定プログラム１３４ａの実行によりＲＯＭ１３４に格納された設定データ１３３ａを参照して、設定データ１３３ａに音声信号の入力を行う音声入力端子１１１として設定された音声入力端子１１１（例えば、ＨＤＭＩ端子１１１ａ）が、信号入力端子検出プログラム１３４ｂの実行により音声信号が入力される音声入力端子１１１として検出された音声入力端子１１１である場合に、上述の音声信号処理を行ってＨＤＭＩ端子１１１ａに接続された接続機器２００から出力される音声信号に基づく音声をスピーカ１０ａに出力するとともに、当該音声入力端子１１１（例えば、ＨＤＭＩ端子１１１ａ）から音声信号が入力されていることを報知するためのＯＳＤデータ１３５（図５（ａ）参照）をＲＯＭ１３４から読み出して、ＯＳＤ回路７において映像信号に合成する。
さらに、ＣＰＵ１３１は、ユーザによるリモコン等のキー入力部１２において、図示しない入力切替キーが押下操作され、ＨＤＭＩ端子１１１ａを介してテレビジョン受像機１００に接続された接続機器２００への入力切替を要求する入力操作信号が制御部１３に入力されると、設定プログラム１３４ａの実行により設定された音声信号の音声出力端子１１２（例えば、光デジタル音声出力端子１１２ｂ）を設定データ１３３ａから読み出して、当該音声出力端子１１２が、音声信号が出力される音声出力端子１１２として設定されていることを報知するためのＯＳＤデータ１３５（図５（ｄ）参照）をＲＯＭ１３４から読み出して、ＯＳＤ回路７において映像信号に合成する。
また、ＣＰＵ１３１は、ユーザによるリモコン等のキー入力部１２において、図示しない入力切替キーが押下操作され、ＨＤＭＩ端子１１１ａを介してテレビジョン受像機１００に接続された接続機器２００への入力切替を要求する入力操作信号が制御部１３に入力され、ＨＤＭＩ端子１１１ａからの入力信号の受信に切替える処理を行うと、ＨＤＭＩ端子１１１ａから入力される信号から、接続機器２００を識別するための識別信号をデコーダ部５等において抽出し、抽出した識別信号を制御部１３に出力する。ＣＰＵ１３１は、抽出した識別信号に基づいてＨＤＭＩ端子１１１ａを介してテレビジョン受像機１００に接続された接続機器２００の種別（例えば、ゲーム機２００ａ）を識別すると、当該接続機器２００が接続されていることを報知するためのＯＳＤデータ１３５（図６（ｇ）参照）をＲＯＭ１３４から読み出して、ＯＳＤ回路７において映像信号に合成する。
以上の処理が行われた結果、表示部９には、図８に示すように、音声信号が入力される音声入力端子１１１（例えば、ＨＤＭＩ端子１１１ａ）と、音声信号の出力端子として設定された音声出力端子１１２（例えば、光デジタル音声出力端子１１２ｂ）と、ＨＤＭＩ端子１１１ａを介してテレビジョン受像機１００に接続された接続機器２００の種別（例えば、ゲーム機２００ａ）と、を夫々認識可能なＯＳＤ表示が行われることとなる。
【００３９】
また、ＣＰＵ１３１は、設定データ１３３ａに音声信号の入力を行う音声入力端子１１１として設定された音声入力端子１１１（例えば、ＲＣＡ音声入力端子１１１ｂ）が、信号入力端子検出プログラム１３４ｂの実行により音声信号が入力される音声入力端子１１１として検出された音声入力端子１１１（例えば、ＨＤＭＩ端子１１１ａ）でない場合、或いは、ＨＤＭＩ端子１１１ａから入力されるＰＣＭ信号のサンプリング周波数が３２ｋＨｚ、４４．１ｋＨｚ、４８ｋＨｚの何れでもない場合には、音声が出力不可能であることを示すＯＳＤデータ１３５（図５（ｆ）参照）をＲＯＭ１３４から読み出して、ＯＳＤ回路７において映像信号に合成する。その結果、表示部９には、図９に示すように、音声が出力不可能であることが認識可能なＯＳＤ表示が行われる。
【００４０】
次に、図１０を参照しながら、ＣＰＵ１３１により実行される音声入力端子／接続機器検出・表示制御処理について説明する。
当該処理は、ＣＰＵ１３１が、信号入力端子検出プログラム１３４ｂ、接続機器検出プログラム１３４ｃ、信号入出力端子表示制御プログラム１３４ｄ及び接続機器表示制御プログラム１３４ｅ等を実行することにより行われる。
【００４１】
まず、ＣＰＵ１３１は、ステップＳ１において、ユーザによるキー入力部１２におけるキー操作により、ＨＤＭＩ端子１１１ａに接続された接続機器２００への入力切替を要求する入力操作信号が入力されるか否かを判断する。ＣＰＵ１３１は、ステップＳ１において、ＨＤＭＩ端子１１１ａに接続された接続機器２００への入力切替要求が有ると判断すると（ステップＳ１；Ｙｅｓ）、ステップＳ２において、入出力インターフェース１のセレクタ１ａに制御信号を出力することにより、ＨＤＭＩ端子１１１ａに接続された接続機器２００から入力される信号の受信に切替える。次に、ＣＰＵ１３１は、ＨＤＭＩ端子１１１ａに接続された接続機器２００から入力される信号から識別信号を抽出して、抽出した識別信号に基づいてＨＤＭＩ端子１１１ａに接続された接続機器２００の種別を判別する（ステップＳ３）。次に、ＣＰＵ１３１は、ステップＳ４において、ステップＳ３における判別結果に基づいて、ＨＤＭＩ端子１１１ａに接続された接続機器２００を示すＯＳＤデータ１３５をＲＯＭ１３４から読み出して、ＯＳＤ回路７において映像信号に当該ＯＳＤデータ１３５を合成することにより、ＨＤＭＩ端子１１１ａに接続された接続機器２００を認識可能なＯＳＤ表示を行う。
【００４２】
次に、ステップＳ５において、ＣＰＵ１３１は、ＥＥＰＲＯＭ１３３に格納された設定データ１３３ａに基づいて、ユーザにより設定された音声入力形式を読み出し、ユーザ設定が「Ｄｉｇｉｔａｌ」であるか否かを判断する。ＣＰＵ１３１は、ステップＳ５において、音声入力形式のユーザ設定が「Ｄｉｇｉｔａｌ」であると判断すると（ステップＳ５；Ｙｅｓ）、ステップＳ１０に進み、一方、音声入力形式のユーザ設定が「Ｄｉｇｉｔａｌ」でないと判断すると（ステップＳ５；Ｎｏ）、続くステップＳ６において、音声入力形式のユーザ設定が「Ａｕｔｏ」であるか否かを判断する。ＣＰＵ１３１は、ステップＳ６において、音声入力形式のユーザ設定が「Ａｕｔｏ」でないと判断すると（ステップＳ６；Ｎｏ）、ステップＳ９に進み、一方、音声入力形式のユーザ設定が「Ａｕｔｏ」であると判断すると（ステップＳ６；Ｙｅｓ）、ステップＳ７において、ＰＣＭ信号検出処理を行う。次に、ＣＰＵ１３１は、ステップＳ８において、ＰＣＭ信号検出処理によりＰＣＭ信号が検出されたか否かを判断する。ＣＰＵ１３１は、ステップＳ８において、ＰＣＭ信号が検出されないと判断すると（ステップＳ８；Ｎｏ）、ステップＳ９に進み、一方、ＰＣＭ信号が検出されると判断すると（ステップＳ８；Ｙｅｓ）、ステップＳ１０に進む。ステップＳ９において、ＣＰＵ１３１は、ＯＳＤ回路７において映像信号にＲＯＭ１３４から読み出したＯＳＤデータ１３５を合成することにより、音声信号が入力される音声入力端子１１１はＲＣＡ音声入力端子１１１ｂである旨を報知するためのＯＳＤ表示を行い、本処理を終了する。
【００４３】
ステップＳ１０において、ＣＰＵ１３１は、ＨＤＭＩ端子１１１ａから入力される音声信号のサンプリング周波数検出処理を行う。次に、ＣＰＵ１３１は、ステップＳ１１において、ステップＳ１０におけるサンプリング周波数検出処理により検出されたサンプリング周波数が３２ｋＨｚであるか否かを判断する。ＣＰＵ１３１は、ステップＳ１１において、サンプリング周波数が３２ｋＨｚであると判断すると（ステップＳ１１；Ｙｅｓ）、ステップＳ１５に進み、一方、サンプリング周波数が３２ｋＨｚでないと判断すると（ステップＳ１１；Ｎｏ）、ステップＳ１２において、サンプリング周波数が４４．１ｋＨｚであるか否かを判断する。ＣＰＵ１３１は、ステップＳ１２において、サンプリング周波数が４４．１ｋＨｚであると判断すると（ステップＳ１２；Ｙｅｓ）、ステップＳ１５に進み、一方、サンプリング周波数が４４．１ｋＨｚでないと判断すると（ステップＳ１４；Ｎｏ）、ステップＳ１３において、サンプリング周波数が４８ｋＨｚであるか否かを判断する。ＣＰＵ１３１は、ステップＳ１３において、サンプリング周波数が４８ｋＨｚであると判断すると（ステップＳ１３；Ｙｅｓ）、ステップＳ１５に進み、一方、サンプリング周波数が４８ｋＨｚでないと判断すると（ステップＳ１３；Ｎｏ）、ステップＳ１４において、音声が出力不可能である旨を報知するためのＯＳＤ表示を表示部９に行い、本処理を終了する。
一方、ＣＰＵ１３１は、ステップＳ１５において、ＯＳＤ回路７において映像信号にＲＯＭ１３４から読み出したＯＳＤデータ１３５を合成することにより、音声信号が入力される音声入力端子１１１はＨＤＭＩ端子１１１ａである旨を報知するためのＯＳＤ表示を行い、本処理を終了する。
【００４４】
以上説明した本実施形態におけるテレビジョン受像機１００によれば、ＣＰＵ１３１による設定プログラム１３４ａの実行により、ＨＤＭＩ端子１１１ａからの入力を選択した際の音声信号の入力及び出力が設定され、信号入力端子検出プログラム１３４ｂの実行により、ＨＤＭＩ端子１１１ａからの入力を選択した際の音声信号が入力される音声入力端子１１１が検出され、接続機器検出プログラム１３４ｃの実行により、ＨＤＭＩ端子１１１ａを介して入力される信号に基づいて前記テレビジョン受像機１００に接続される接続機器２００の種別が検出される。また、ＣＰＵ１３１による信号入出力端子表示制御プログラム１３４ｄの実行により、信号入力端子検出プログラム１３４ｂの実行による検出及び設定プログラム１３４ａの実行による音声信号の入力及び出力の設定に基づいて、音声信号が入力される音声入力端子１１１及び音声信号が出力される音声出力端子１１２に関する情報が、表示部９にＯＳＤ表示され、接続機器表示制御プログラム１３４ｅの実行により、接続機器検出プログラム１３４ｃの実行による検出に基づいて、ＨＤＭＩ端子１１１ａを介してテレビジョン受像機１００に接続される接続機器２００に関する情報が、表示部９にＯＳＤ表示される。
したがって、テレビジョン受像機１００においてＨＤＭＩ端子１１１ａを選択した際に、ユーザは表示部９に表示される情報を参照すれば、どの音声入力端子１１１から音声信号が入力されているか、どの音声出力端子１１２から音声信号が出力される設定となっているか、及びテレビジョン受像機１００に接続されている接続機器２００の種別を確実且つ容易に把握することができる。
【００４５】
なお、本発明は、上記実施の形態に示したものに限られず、本発明の趣旨を逸脱しない範囲において、種々の改良並びに設計の変更を行っても良い。
例えば、テレビジョン受像機１００に接続された接続機器２００は、上記実施の形態において例示したものに限られず、ＤＶＤ（Digital Versatile Disc）プレーヤ・レコーダ、ＰＣ（Personal Computer）等であっても良い。
また、例えば、テレビジョン受像機１００に備わる接続端子１１は、上記実施の形態において例示したものに限られず、例えば、ビデオ入力端子、Ｓ端子、コンポーネント入力端子、Ｄ端子、ＰＣ入力端子、ＬＡＮ端子、ＩＥＥＥ１３９４端子、等であっても良い。
また、例えば、上記実施形態におけるテレビジョン受像機１００では、サンプリング周波数が３２ｋＨｚ、４４．１ｋＨｚ、４８ｋＨｚのＰＣＭ信号に基づく音声を出力可能としたが、これらのサンプリング周波数以外のＰＣＭ信号に基づく音声も出力可能な構成であっても良い。
また、例えば、信号入出力端子表示制御プログラム１３４ｄ及び接続機器表示制御プログラム１３４ｅの実行により行われる表示は、上記実施の形態において例示した方法に限られず、受像機本体１００ａに設けられた専用のディスプレイ（表示部）に文字表示される構成であっても良い。
【図面の簡単な説明】
【００４６】
【図１】本実施形態におけるテレビジョン受像機の正面図である。
【図２】本実施形態におけるテレビジョン受像機の背面図である。
【図３】本実施形態のテレビジョン受像機の要部構成を示すブロック図である。
【図４】受像機本体の背面部の入出力インターフェースに備わる接続端子を例示する図である。
【図５】信号入出力端子表示制御プログラムの実行において、表示部に表示されるＯＳＤ表示を例示する図である。
【図６】接続機器表示制御プログラムの実行において、表示部に表示されるＯＳＤ表示を例示する図である。
【図７】設定プログラムの実行において、表示部に表示される音声入出力設定画面を例示する図である。
【図８】信号入力端子検出プログラム、接続機器検出プログラム、信号入出力端子表示制御プログラム及び接続機器表示制御プログラムの実行により、表示部に表示されるＯＳＤ表示を例示する図である。
【図９】信号入力端子検出プログラム、接続機器検出プログラム、信号入出力端子表示制御プログラム及び接続機器表示制御プログラムの実行により、表示部に表示されるＯＳＤ表示を例示する図である。
【図１０】ＣＰＵによる音声入力端子／接続機器検出・表示制御処理を示すフローチャートである。
【符号の説明】
【００４７】
１００    テレビジョン受像機
１１１    音声入力端子
１１１ａ  ＨＤＭＩ端子
１１１ｂ  ＲＣＡ音声入力端子
１１２    音声出力端子
１３１    ＣＰＵ（設定手段、信号入力端子検出手段、接続機器検出手段、信号入出力端子表示制御手段、接続機器表示制御手段）
１３４ａ  設定プログラム（設定手段）
１３４ｂ  信号入力端子検出プログラム（信号入力端子検出手段）
１３４ｃ  接続端子検出プログラム（接続機器検出手段）
１３４ｄ  信号入出力端子表示制御プログラム（信号入出力端子表示制御手段）
１３４ｅ  接続機器表示制御プログラム（接続機器表示制御手段）
【図１】
0005186732.tif 000002
【図２】
0005186732.tif 000003
【図３】
0005186732.tif 000004
【図４】
0005186732.tif 000005
【図５】
0005186732.tif 000006
【図６】
0005186732.tif 000007
【図７】
0005186732.tif 000008
【図８】
0005186732.tif 000009
【図９】
0005186732.tif 000010
【図１０】
0005186732.tif 000011